(57)【特許請求の範囲】
【請求項１】
内部にポンプ室を形成するゴム製のダイヤフラムに固定された、マグネットを具えた可動体を、電磁石による磁気的作用を利用して揺動させて、当該ダイヤフラムを往復動させる電磁駆動機構を具えたガス検知器用ポンプ装置であって、
一方が開口する樹脂製のケースを具えてなり、
円柱状または円錐台状の内部空間を有するカップ状のダイヤフラムおよび当該ダイヤフラムに装着されてこれを保持するホルダーを有するポンプユニットが、当該ケースの開口を介してケース内に挿入されて、当該ケースに対して着脱可能に装着されており、
前記ポンプユニットが、ダイヤフラムと、このダイヤフラムの内部に挿入されて当該ダイヤフラムの内周面との間にポンプ室を形成する有底円筒状部材と、この有底円筒状部材の底壁外面に対接されて配置された逆止弁と、当該ダイヤフラムが挿入されて当該ダイヤフラムの周壁を介して、前記有底円筒状部材、並びに前記ケースに一体に形成されたガス吸引部およびガス吐出部を有するヘッド部に嵌合されるリング状のホルダーとにより構成されていることを特徴とするガス検知器用ポンプ装置。
【請求項２】
ダイヤフラムには、開口端部分に、周方向の全周にわたって伸びる径方向外方に突出する鍔部分が形成されており、
前記有底円筒状部材にダイヤフラムの周壁を介して嵌合されるよう装着されるリング状のホルダーと、前記ケースとが、ダイヤフラムの鍔部分がホルダーとケースとによって挟持された状態で、互いに係合されることにより、ポンプユニットがケースに対して着脱可能とされていることを特徴とする請求項１に記載のガス検知器用ポンプ装置。
【請求項３】
ケースには、電磁石の平面形状に沿った内面形状を有する電磁石収容部が形成されており、電磁石が当該電磁石収容部の内壁面に沿って収容されることにより前記可動体のマグネットに対して位置決めされた状態で配置されることを特徴とする請求項１または請求項２に記載のガス検知器用ポンプ装置。
【請求項４】
可動体は、ダイヤフラムの中心軸に垂直な方向に伸びる枢支軸部を有し、当該枢支軸部がケースに形成された凹所による可動体支持部に取り外し可能に装着されることにより可動体全体が当該枢支軸部を中心に揺動可能に支持されていることを特徴とする請求項１乃至請求項３のいずれかに記載のガス検知器用ポンプ装置。
【請求項５】
可動体は枠状のマグネット保持部を有し、
前記マグネットが、当該マグネット保持部内に収容されて一方の磁極面がその外方から支持された状態で、マグネット保持部に形成された係合部が他方の磁極面に係合されることにより保持されていることを特徴とする請求項１乃至請求項４のいずれかに記載のガス検知器用ポンプ装置。
【発明の詳細な説明】
【技術分野】
【０００１】
本発明は、電磁駆動機構を具えたダイヤフラム式のガス検知器用ポンプ装置に関する。
【背景技術】
【０００２】
現在、ガス検知器のある種のものにおいては、検知部に被検査ガスを導入するためのポンプ装置として、例えば、ダイヤフラムに固定された、マグネットを具えた可動体を、電磁石により揺動させて、ダイヤフラムを往復動させる電磁駆動機構を備えたダイヤフラム式ポンプ装置が利用されている。このような構成を有するダイヤフラム式ポンプ装置は、例えば特許文献１に開示されている。
而して、このような電磁駆動機構を備えたダイヤフラム式ポンプ装置においては、小型のものとして構成することが要請されていると共に、低コストで作製可能に構成されていることが望まれている。
【０００３】
図８は、従来におけるガス検知器用のダイヤフラム式ポンプ装置の一例における構成の概略を示す分解斜視図である。
このダイヤフラム式ポンプ装置は、各々、例えば金属よりなり、平面形状が「コ」の字型の矩形枠状のケース本体６１と、このケース本体６１に例えば固定用ネジ７８によって固定される略平板状の蓋体６２とよりなるケーシングを具え、ケース本体６１内において、ポンプユニット６５および電磁駆動機構を構成する電磁石８０が上下に並んだ位置に配置されている。
ポンプユニット６５は、例えばゴムなどの弾性体よりなり、円柱状または円錐台状の内部空間を有するカップ状のダイヤフラム６６と、このダイヤフラム６６の内部に挿入されてポンプ室を形成する有底円筒状のポンプチャンバー６７と、ポンプチャンバー６７の底壁に円板状の逆止弁６８が介在する状態で対接されて配置される、ガス吸引部およびガス吐出部が形成されたポンプヘッド６９と、ダイヤフラム６６の周壁を介してポンプチャンバー６７の外周面を保持するリング状のバネ材７０とを具えており、振動伝達防止用の円板状のクッション部材７１を介してケース本体６１の側壁内面の上方位置に、固定用ネジ７５によって固定される。
電磁駆動機構は、コイル８１が巻装されたボビン８２が略「コ」の字型の金属製の芯材８３に装着されてなる電磁石８０と、マグネット８６を具えた板状の可動体８５とにより構成されており、電磁石８０がケース本体６１の下壁内面に固定用ネジ７６によって固定されると共に、可動体８５がその中央位置においてダイヤフラム６６の底部に固定された状態において、ケース本体６１の上壁内面に固定用ネジ７７によって固定される支持部材８８によって揺動自在に支持され、これにより、可動体８５のマグネット８６の磁極面が電磁石８０の磁極形成面（芯材の端面）８３Ａ，８３Ｂ間の上方位置に所定の大きさの間隙を介して位置された状態とされる。ここに、マグネット８６は可動体８５の下端部に形成されたマグネット装着部８５Ａに対して適宜の接着剤によって接着されている。
図８において、符号８８Ａは、支持部材８８に支持される軸部を有する支持用ゴム材、６６Ｂは、ダイヤフラム６６に設けられたネジ部材６６Ａに螺合されて可動体６５をダイヤフラム６６に固定するためのナット、８９は、固定用ネジ７９によって電磁石８０を構成するボビン８２に固定される回路基板である。
【０００４】
このダイヤフラム式ポンプ装置においては、例えば周波数が５０Ｈｚ程度の交流電力が電磁石８０に印加されることによって可動体８５のマグネット８６が電磁石８０の磁極形成面８３Ａ，８３Ｂ間を往復動して可動体８５全体が揺動され、これにより、ダイヤフラム６６がその中心軸方向に往復動されてガス吸引部よりポンプ室内にガスが吸引されると共にガス吐出部を介してガスが吐出される。
【０００５】
【特許文献１】特開平１０−１９６５４５号公報
【発明の開示】
【発明が解決しようとする課題】
【０００６】
上記のようなポンプ装置においては、各構成部材がネジ止めされてケースに固定されていることから、ポンプ装置の作製、あるいは、故障や不都合が生じ易いポンプユニットの交換作業を含むメンテナンス作業に手間がかかり、作業効率が低い。
【０００７】
本発明は、以上のような事情に基づいてなされたものであって、小型のものとして構成することができ、しかも、安定した性能を確保しながら、高生産性および高メンテナンス性を有するガス検知器用ポンプ装置を提供することを目的とする。
また、本発明の他の目的は、部品点数の削減を図ることができてコスト的にも有利に作製可能であり、破壊も容易であってリサイクル性の向上を図ることのできるガス検知器用ポンプ装置を提供することにある。
【課題を解決するための手段】
【０００８】
本発明のガス検知器用ポンプ装置は、内部にポンプ室を形成するゴム製のダイヤフラムに固定された、マグネットを具えた可動体を、電磁石による磁気的作用を利用して揺動させて、当該ダイヤフラムを往復動させる電磁駆動機構を具えたガス検知器用ポンプ装置であって、
一方が開口する樹脂製のケースを具えてなり、
円柱状または円錐台状の内部空間を有するカップ状のダイヤフラムおよび当該ダイヤフラムに装着されてこれを保持するホルダーを有するポンプユニットが、当該ケースの開口を介してケース内に挿入されて、当該ケースに対して着脱可能に装着されており、
前記ポンプユニットが、ダイヤフラムと、このダイヤフラムの内部に挿入されて当該ダイヤフラムの内周面との間にポンプ室を形成する有底円筒状部材と、この有底円筒状部材の底壁外面に対接されて配置された逆止弁と、当該ダイヤフラムが挿入されて当該ダイヤフラムの周壁を介して、前記有底円筒状部材、並びに前記ケースに一体に形成されたガス吸引部およびガス吐出部を有するヘッド部に嵌合されるリング状のホルダーとにより構成されていることを特徴とする。
【０００９】
本発明のガス検知器用ポンプ装置においては、ダイヤフラムには、開口端部分に、周方向の全周にわたって伸びる径方向外方に突出する鍔部分が形成されており、
前記有底円筒状部材にダイヤフラムの周壁を介して嵌合されるよう装着されるリング状のホルダーと、前記ケースとが、ダイヤフラムの鍔部分がホルダーとケースとによって挟持された状態で、互いに係合されることにより、ポンプユニットがケースに対して着脱可能とされた構成とすることができる。
【００１０】
また、本発明のガス検知器用ポンプ装置においては、ケースには、電磁石の平面形状に沿った内面形状を有する電磁石収容部が形成されており、電磁石が当該電磁石収容部の内壁面に沿って収容されることにより前記可動体のマグネットに対して位置決めされた状態で配置される構成とされていることが好ましい。
【００１１】
さらにまた、本発明のガス検知器用ポンプ装置においては、可動体は、ダイヤフラムの中心軸に垂直な方向に伸びる枢支軸部を有し、当該枢支軸部がケースに形成された凹所による可動体支持部に取り外し可能に装着されることにより可動体全体が当該枢支軸部を中心に揺動可能に支持された構成とされていることが好ましい。
【００１２】
さらにまた、本発明のガス検知器用ポンプ装置においては、可動体は枠状のマグネット保持部を有し、
前記マグネットが、当該マグネット保持部内に収容されて一方の磁極面がその外方から支持された状態で、マグネット保持部に形成された係合部が他方の磁極面に係合されることにより保持される構成とされていることが好ましい。
【発明の効果】
【００１３】
本発明のガス検知器用ポンプ装置によれば、ポンプユニットを単にケースに対して挿入することによって組み立て可能に構成されているので、所望のポンプ装置を極めて容易に作製することができて高い生産性を得ることができると共に、ポンプ装置全体を分解することなく、例えば故障や不都合が生じやすいポンプユニットのみを取り外して部品交換を含むメンテナンス作業を行うことができるので、高いメンテナンス性が得られる。
また、樹脂製ケースであることにより、例えばポンプの構成部材の一部をケースと一体成形してケース自体に当該構成部材の機能が付加された構成とすることができるので、部品点数の削減を図ることができてコスト的にも有利に作製可能であり、破壊も容易であってリサイクル性の向上を図ることができる。
【００１４】
さらにまた、煩雑な作業を伴うことなく、可動体のマグネットと電磁石との位置決めを行うことができるので、可動体によるダイヤフラムに対する所望の動力伝達機能を確実に得ることができて安定した動作性能を有するものとして確実に構成することができる。
【００１５】
さらにまた、可動体がケースに対して取り外し可能に装着された構成、および、可動体を構成するマグネットが接着剤等を用いることなしに保持された構成とされていることにより、一層高い生産性および高いメンテナンス性を得ることができる。
【発明を実施するための最良の形態】
【００１６】
図１は、本発明のガス検知器用ポンプ装置の一例における構成を示す正面図、図２は、図１に示すガス検知器用ポンプ装置の側面図、図３は、図１に示すガス検知器用ポンプ装置の上面図、図４は、図１に示すガス検知器用ポンプ装置の、電磁石を外した状態で示す底面図、図５は、図１におけるＡ−Ａ線断面図、図６は、図１に示すガス検知器用ポンプ装置の分解斜視図である。
このガス検知器用ポンプ装置１０は、マグネットを具えた可動体を電磁石により揺動させてダイヤフラムを往復動させる電磁駆動機構を備えたダイヤフラム式のものであって、前方が開口し、内部にポンプユニット２０が収容される略直方体形状のポンプユニット収容部１２と、当該ポンプユニット収容部１２の下端に連続する、内部に電磁駆動機構を構成する電磁石４０が収容される略矩形枠状の電磁石収容部１６とを有する、樹脂よりなるケース１１を具えている。
電磁石収容部１６は、下方および後方が開口し、ポンプユニット収容部１２の前面より前方に突出して形成されており、内面形状が電磁石４０の外形形状（電磁石４０の平面形状に内接する方形状）に沿った形態を有している。
【００１７】
ポンプユニット２０は、円柱状または円錐台状の内部空間を形成するカップ状のダイヤフラム２１と、ダイヤフラム２１の内部に挿入されてダイヤフラム２１の内周面との間に容量可変のポンプ室Ｓを形成する有底円筒状のポンプチャンバー２３と、このポンプチャンバー２３の底壁外面に対接されて配置された、円板状の逆止弁２４と、ダイヤフラム２１が挿入されてダイヤフラム２１の周壁を介して、ポンプチャンバー２３およびケース１１におけるポンプユニット収容部１２の後壁内面に一体に形成された、各々、ケース１１の後壁より後方に突出して伸びるガス吸引部１３Ａおよびガス吐出部１３Ｂを有するヘッド部１３に嵌合されるリング状のホルダー２５とにより構成されている。
【００１８】
ダイヤフラム２１は、外力を受けて弾性的に変形して容積を膨張収縮する材料、例えばゴムよりなり、開口端縁部分に周方向の全周に伸びる径方向外方に突出する鍔部分２１Ａが形成されていると共に、底部中央位置に可動子固定用のネジ部材２２が設けられている。
【００１９】
ポンプチャンバー２３の底壁には、中央位置にバッファ（緩衝室）として機能する凹所２３Ａが形成されていると共にヘッド部１３におけるガス吸引部１３Ａおよびガス吐出部１３Ｂに対応する、当該凹所２３Ａを挟んで径方向に並んだ位置に、２つの貫通孔２３Ｂが並んで形成されている。
【００２０】
ホルダー２５には、中心を挟んで互いに対向する位置に径方向外方に突出する２つの係合用突起部（被係合部）２５Ａが形成されており、ポンプユニット収容部１２の両側壁に形成された係合部１４によって係合されて保持される。
係合部１４は、互いに高さ方向に所定の間隔を空けて並んだ位置において後端縁から前方に向かって互いに平行に伸びるスリットが形成されることにより舌片状に構成され、この舌片状部分１４Ａの先端部内面に段部１４Ｂが形成されて構成されている。
【００２１】
ポンプユニット２０は、例えば図７に示すように、内部にポンプチャンバー２３および逆止弁２４が挿入配置されたダイヤフラム２１をケース１１のヘッド部１３に装着して、ケース１１の後壁の外面より固定用ネジ５０（図６参照。）によってネジ止めされた状態において、ホルダー２５をケース１１のポンプユニット収容部１２の前方開口を介して、ケース１１の係合部１４を外方側に向かって拡開しながらダイヤフラム２１の中心軸方向に挿入することにより、ホルダー２５がダイヤフラム２１の周壁を介して、ポンプチャンバー２３およびヘッド部１３に嵌合されると共に、ケース１１の係合部１４が元の位置に戻って（形態が復元されて）ダイヤフラム２１の鍔部分２１Ａがその厚み方向に圧潰されながら係合部１４の段部１４Ｂがホルダー２５の係合用突起部２５Ａの前端面に係合され、これにより、ダイヤフラム２１の鍔部分２１Ａがホルダー２５とケース１１とによって挟持された状態で、ケース１１に保持固定される。
【００２２】
ポンプユニット２０のダイヤフラム２１を作動させるための電磁駆動機構は、例えばフェライト磁石または稀土類磁石など永久磁石よりなるマグネット３５を具えた可動体３０と、当該可動体３０を磁気的作用を利用して揺動させる電磁石４０とにより構成されている。
【００２３】
可動体３０は、例えば樹脂よりなり、一端部（上端部）が上方に向かうに従って前方に傾斜する形態を有するプレート部分３１と、このプレート部分３１の下方位置に形成された矩形枠状のマグネット保持部３２と、プレート部分３１の上端に形成された、ダイヤフラム２１の中心軸に垂直な方向に伸びる枢支軸部３３とを有する。
この可動体３０は、ダイヤフラム２１のネジ部材２２がプレート部分３１に形成された貫通孔３１Ａ内に挿通されてプレート部分３１がダイヤフラム２１の底部に水平に対接された状態で、固定用ナット５１によってダイヤフラム２１に固定されると共に、枢支軸部３３の両端部に例えばＯリング１８が装着された状態で、ケース１１におけるポンプユニット収容部１２の上壁の外面に形成された可動体支持用凹所１５内に収容されて取り外し可能に装着されることにより、当該枢支軸部３３を中心に揺動可能に支持される。
【００２４】
マグネット３５は、マグネット保持部３２の枠内に収容された状態において、その下側の一方の磁極面における両端部分が下方から支持されると共に、マグネット保持部３２の前壁における上端面の中央位置に形成された係合用爪部３２Ａが上側の他方の磁極面に係合され、これにより、保持固定されている。
【００２５】
電磁石４０は、例えば珪素鋼板からなる板材が磁極形成面４１Ａ，４１Ｂが所定の大きさの面積となるよう複数積層されて、全体としてコの字型のブロック状に形成された芯材４１と、この芯材４１の一方の脚部に装着されたボビン４２と、ボビン４２の軸部周壁に巻回されたコイル４３とにより構成されており、ボビン４２の下面には、回路基板４５がネジ止めされて固定されている。ここに、芯材４１の磁極形成面４１Ａ，４１Ｂの面積は、例えば８００〜１０００ｍｍ2 であり、磁極形成面４１Ａ，４１Ｂの中心間距離が例えば８〜１０ｍｍである。
【００２６】
この電磁石４０は、ケース１１における電磁石収容部１６内にその内壁面に沿って下方から挿入され、電磁石収容部１６の両側壁の上端部において、内方に突出して前後に伸びると共にポンプユニット収容部１２の後壁の下端面に連続するよう形成された段部１７およびホルダー２５の外周面によって適正な大きさに規制された間隙を介して可動体３０のマグネット３５と対向すると共に、電磁石収容部１６の前壁１６Ａ内面によって可動体３０のマグネット３５に対する前後方向の配置位置が規制されて可動体３０のマグネット３５が芯材４１の磁極形成面４１Ａ，４１Ｂ間に位置されるよう、位置決めされた状態で配置される。
ここに、芯材４１の磁極形成面４１Ａ，４１Ｂと可動体３０のマグネット３５の磁極面との間の空隙の大きさ（高さ方向離間距離）は、例えば１〜３ｍｍである。
【００２７】
上記構成のガス検知器用ポンプ装置１０の一構成例を示すと、ケース１１の幅方向寸法（図１において左右方向）が４０ｍｍ、前後方向寸法（図１において紙面に垂直な方向）が４５ｍｍ、高さ方向寸法（図１において上下方向）が６０ｍｍであり、重量が１００ｇ程度である。
ダイヤフラム２１のストローク（固定部の軸方向の変位量）は、例えば２ｍｍであり、ガス吐出量は、例えば０．５〜１．５リットル／ｍｉｎの流量のガスをガス検知器に供給することができる大きさ、例えば０．５リットル／ｍｉｎであり、真空到達度は例えば１０ｋＰａである。
【００２８】
上記ガス検知器用ポンプ装置１０においては、例えば周波数が９０Ｈｚである高周波の交流電力が電磁石４０に印加されることにより、可動体３０におけるマグネット３５が芯材４１の磁極形成面４１Ａ，４１Ｂ間を往復動されて可動体３０全体が枢支軸部３３を中心として揺動（ダイヤフラム２１に対する固定部がダイヤフラム２１の軸方向に沿って変位）され、これにより、ダイヤフラム２１がその軸方向に往復動されてガス吸引部１３Ａよりポンプ室Ｓ内にガスが吸引されると共にガス吐出部１３Ｂを介してガスが吐出される。周波数が９０Ｈｚである高周波が印加されることにより、必要なガス流量をポンプ室Ｓの容積変化量を増加させるのではなく、ダイヤフラム２１の膨張収縮回数を増やすことにより確保することができるので、ダイヤフラム２１が引き伸ばされる方向への変形に起因するダイヤフラム２１の劣化の程度を小さく抑制することができると共に装置の小型化を図ることができ、また、真空到達度を大きくすることができる。
【００２９】
そして、このガス検知器用ポンプ装置１０は、定置型または可搬型のガス検知器のいずれのものにも用いることができ、また、ガス検知器の校正作業を行うに際してのガス校正用のポンプユニットとして用いることができる。
例えば定置型のガス検知器においては、ポンプユニット２０および電磁駆動機構における可動体３０が固定されたケース１１が、ガス検知器本体の内部に設けられた案内用レール部材に沿って導入され、所定の位置において、ガス検知器本体に例えば係合されて取り外し可能とされた状態で固定されると共にケース１１におけるガス吸引部１３Ａおよびガス吐出部１３Ｂが適宜のガス流路形成材によってガス検知部に配管、接続される。一方、、電磁石４０は、ケース１１に対して位置決めされて配置された状態において、ガス検知器本体の制御基板に適宜の接続用ケーブルにより電気的に接続されると共にガス検知器本体内部におけるシャーシに例えばネジ止めされて固定、すなわち、電磁石４０はケース１１とは互いに別個に（独立して）固定される。なお、電磁石４０をガス検知器本体に対して固定した状態において、ケース１１を上記案内用レール部材によって電磁石４０に対して位置決めして配置することもできる。
このような構成であることにより、ケース１１をガス検知器本体から取り外す際には、ケース１１とガス検知器本体との係合を解除するという極めて簡単な作業を行うことによって容易に取り外すことができる。
【００３０】
而して、上記構成のガス検知器用ポンプ装置１０によれば、ポンプユニット２０および電磁石４０などの構成部材を単にケース１１に対して挿入することによって組み立て可能に構成されているので、煩雑な作業を伴うことなく可動体３０のマグネット３５と電磁石４０との位置決めを行うことができて可動体３０によるダイヤフラム２１に対する所望の動力伝達機能が発現され、これにより、安定した動作性能が得られると共に、ガス検知器用ポンプ装置１０を容易に作製することができて高い生産性が得られる。また、金属製の構成部材を実質的に有さないことからも、例えば可動体３０の取り付け作業等を行うに際して、マグネット３５による磁気的影響を生じることなしに容易に作製することができて高い生産性が得られる。
さらにまた、ケース１１が樹脂製であることにより、ポンプの構成部材の一部、例えばヘッド部１３をケース１１に一体成形してケース１１自体に当該構成部材の機能が付加されるよう構成することができるので、部品点数の削減を図ることができてコスト的にも有利に作製可能であり、また、破壊も容易であってリサイクル性の向上が図られる。
【００３１】
また、上記構成のガス検知用ポンプ装置１０によれば、ケース１１および電磁石４０が独立して適宜の固定部材に固定されることにより、必要な構成部材、例えば故障や不都合が生じ易いポンプユニット２０のみを特殊な工具を必要とせずに着脱可能とされているので、部品の交換を含むメンテナンス作業を高い作業効率で行うことができる。
【００３２】
さらにまた、可動体３０における枢支軸部３３がケース１１における可動体支持用凹所１５内への挿入されて取り外し可能に装着された構成、および、可動体３０を構成するマグネット３５が接着剤等を用いることなく、矩形枠状のマグネット保持部３２に挿入係合されて保持された構成とされていることにより、一層高い生産性および高いメンテナンス性を得ることができる。
【００３３】
以上、本発明の実施形態について説明したが、本発明は上記の実施形態に限定されるものではなく、種々の変更を加えることができる。
上記実施例においては、ケースにホルダーに係合される係合部が形成された構成とされているが、ホルダーにケースの後壁に係合される係合部が形成された構成とされていてもよい。
また、ケースは、電磁石の周囲を囲むよう電磁石収容部が形成された構成のものでなくてもよく、電磁石収容部が電磁石の一部分が収容されるよう形成された構成のものであってもよい。
本発明のガス検知器用ポンプにおける、例えば可動体の駆動条件やその他の具体的な構成条件は、上記実施例のものに限定されるものではなく、目的に応じて適宜に変更することができる。
【図面の簡単な説明】
【００３４】
【図１】本発明のガス検知器用ポンプ装置の一例における構成を示す正面図である。
【図２】図１に示すガス検知器用ポンプ装置の側面図である。
【図３】図１に示すガス検知器用ポンプ装置の上面図である。
【図４】図１に示すガス検知器用ポンプ装置の、電磁石を外した状態を示す底面図である。
【図５】図１におけるＡ−Ａ線断面図である。
【図６】図１に示すガス検知器用ポンプ装置の分解斜視図である。
【図７】図１に示すガス検知器用ポンプ装置において、ポンプユニットのケースに対する装着方法を説明するための、図１のＡ−Ａ線における断面図である。
【図８】従来におけるガス検知器用のダイヤフラム式ポンプ装置の一例における構成の概略を示す分解斜視図である。
【符号の説明】
【００３５】
１０  ガス検知器用ポンプ装置
１１  ケース
１２  ポンプユニット収容部
１３Ａ  ガス吸引部
１３Ｂ  ガス吐出部
１３  ヘッド部
１４  係合部
１４Ａ  舌片状部分
１４Ｂ  段部
１５  可動体支持用凹所
１６  電磁石収容部
１６Ａ  前壁
１７  段部
１８  Ｏリング
２０  ポンプユニット
２１  ダイヤフラム
２１Ａ  鍔部分
２２  ネジ部材
２３  ポンプチャンバー
２３Ａ  凹所
２３Ｂ  貫通孔
２４  逆止弁
２５  ホルダー
２５Ａ  係合用突起部（被係合部）
３０  可動体
３１  プレート部分
３１Ａ  貫通孔
３２  マグネット保持部
３２Ａ  係合用爪部
３３  枢支軸部
３５  マグネット
４０  電磁石
４１  芯材
４１Ａ，４１Ｂ  磁極形成面
４２  ボビン
４３  コイル
４５  回路基板
５０  固定用ネジ
５１  固定用ナット
６１  ケース本体
６２  蓋体
６５  ポンプユニット
６６  ダイヤフラム
６６Ａ  ネジ部材
６６Ｂ  ナット
６７  ポンプチャンバー
６８  逆止弁
６９  ポンプヘッド
７０  バネ材
７１  クッション部材
７５，７６，７７，７８，７９  固定用ネジ
８０  電磁石
８１  コイル
８２  ボビン
８３  芯材
８３Ａ，８３Ｂ  磁極形成面
８５  可動体
８５Ａ  マグネット装着部
８６  マグネット
８８  支持部材
８８Ａ  支持用ゴム材
８９  回路基板
Ｓ  ポンプ室
【図１】
0005128263.tif 000002
【図２】
0005128263.tif 000003
【図３】
0005128263.tif 000004
【図４】
0005128263.tif 000005
【図５】
0005128263.tif 000006
【図６】
0005128263.tif 000007
【図７】
0005128263.tif 000008
【図８】
0005128263.tif 000009